(57)【特許請求の範囲】
【請求項１】
棒状化粧料が収容される容器本体と、該容器本体の上側から外嵌して容器本体の被覆蓋部を覆蓋するキャップとを備えて構成される棒状化粧料容器において、
前記キャップは、有天筒状をした上半側の胴部と、下端が開口した筒状であって、前記胴部に対して縦軸周りに回動自在な下半側のダイアル部とで構成され、
前記胴部とダイアル部とは、縦軸方向を向いた縦溝と該縦溝の上下端部間を周回り方向に連通する螺旋溝とからなるガイド溝と、前記縦溝対応位置に位置していて縦溝長さに対応する縦孔が形成された身筒部とがそれぞれ形成されたものであり、
前記身筒部に上下方向摺動自在に内嵌されるインナー筒には、容器本体が最上端に摺動したとき容器本体が突き当たる突き当たり部と、前記ガイド溝および身筒部の縦孔に移動自在に係合する係合突起とが形成されていて、
前記係合突起がガイド溝の縦溝上端に位置し、かつ容器本体がインナー筒の突き当たり部に突き当たっていて容器本体がキャップに収容される収容姿勢の状態で、胴部に対してダイアル部を相対回動することにより、係合突起がガイド溝の縦溝上端から螺旋溝を経由して縦溝下端に至る移動をすることでインナー筒が容器本体と共に下動して、該容器本体がキャップ下端から突出して容器本体をキャップから取り出し操作できる突出姿勢に変姿させる一方、該突出姿勢で容器本体をキャップ下端から上方に押し込むことで、係合突起の縦溝下端から上端への移動と容器本体の突き当たり部に突き当たるまでの移動とがなされて、容器本体をインナー筒と共に前記収容姿勢に変姿させるようにしたことを特徴とする棒状化粧料容器。
【請求項２】
ガイド溝には、縦溝下端および縦溝上端に位置する係合突起の逆戻り防止をするための段差部が設けられている請求項１記載の棒状化粧料容器。
【請求項３】
インナー筒は、係合突起の段差部越えの補助をすべく可撓性を有していることを特徴とする請求項２記載の棒状化粧料容器。
【請求項４】
段差部は、係合突起が縦溝下端および縦溝上端に位置するときにクリック音を発生させるものであることを特徴とする請求項２または３記載の棒状化粧料容器。
【請求項５】
縦溝は複数あり、螺旋溝は、隣接する縦溝同士の一方の上端から他方の下端へと周回り方向一方向で連結するものであることを特徴とする請求項１乃至４の何れか１記載の棒状化粧料容器。
【発明の詳細な説明】
【技術分野】
【０００１】
本発明は、口紅、マニキュア、ファンデーション等の化粧料を収容するための棒状化粧料容器に関する。
【背景技術】
【０００２】
一般に、口紅やファンデーション等の化粧料が収容される棒状化粧料容器にあっては、化粧料が収容される容器本体の上端部からキャップを外嵌することによって容器本体の被覆蓋部をキャップで覆蓋するよう構成したものが知られている。
このように容器本体上端部からキャップを外嵌させることで化粧料を収容する棒状化粧用容器にあっては、キャップの内側最奥端部に縦軸方向の付勢力を有した弾性部材を装着し、該弾性部材の付勢力を利用してキャップと容器本体との係脱を行うよう構成したものがある。
例えば特許文献１のものでは、キャップの内側奥端部に該キャップの開口部に向けて付勢するばね材と、該ばね材によって容器本体に付勢される塗布部材とを備え、キャップ内側の奥端部から容器本体に向けて突出している塗布部材を容器本体側に向けて付勢し、キャップで容器本体上端部を覆蓋する場合には、まず塗布部材の先端が容器本体の奥端部に当接するまで押し込み、さらに該押し込むことによってばね材が収縮した状態でキャップの係合突起が容器本体の係合部に係合して収容姿勢に維持される。そしてキャップを容器本体から取り外すべく離間姿勢にするには、容器本体に対してキャップを周方向に捻ることで前記係合が解かれてばね材の付勢力によってキャップが容器本体から離間する方向に移動するよう構成している。
また、例えば特許文献２のものでは、キャップ内を移動自在な中筒体（インナー筒）を設けると共に、該中筒体に容器本体が摺動自在に外嵌し、中筒体の下端に揺動自在な係合突起を設けたものとし、そして容器本体をキャップに収納する収納姿勢にするには、中筒体に内嵌した状態の容器本体を押し込んでキャップ内底部に設けた係合部に対して、ガイド部のガイドによって係合突起を係合せしめることで行い、容器本体をキャップから突出させて取り出すことができる取り出し姿勢にするには、再度容器本体をキャップ奥側に押し込んで中筒体をキャップ奥側に押し込み、これによって係合突起がガイド部のガイドによって係合部から外れて中筒体がキャップ開口側に移動して容器本体が取り外し姿勢となるよう構成している。そしてこのものでは、前記収納姿勢に維持するため、キャップの底部と中筒体の下面とのあいだにばね材を設け、該ばね材の付勢力で係合突起の係合部からの係合が解除されないようにしている。
【先行技術文献】
【特許文献】
【０００３】
【特許文献１】実公平４−４６６８０号公報
【特許文献２】特開２００７−６１３９３号公報
【発明の概要】
【発明が解決しようとする課題】
【０００４】
しかしながら、特許文献１および２に示されるような化粧容器においては、いずれもキャップ内側の奥端部にばね材を取付けて、該ばね材の付勢力を利用してキャップの容器本体に対する覆蓋を維持し、あるいは解除するものに構成したものであるため、ばね材を別途用意する必要があって部品点数の増加に繋がるばかりでなく、ばね材をキャップ内部に組み込む工程が必要となって工程数の増加に繋がるという問題がある。しかもこれらのものは、ばね材を用いているため、使用による化粧料の減量に伴い突出速度が変化してしまうという問題がある。
また特許文献１のものは、ばね材によって係合突起を係合部に係合させる際にはばね材が戻り移動することになり、その移動分のスペースを確保した設計とならざるを得ないうえ、ばね材の付勢力を利用して突出させるものであるため、意図しない突然の突出となる虞がある。また容器本体とキャップとのあいだに間隙を設けた化粧料容器となってしまって、外観上好ましくないばかりでなく、キャップ着脱の操作に無駄な動きが発生して操作の快適性が損なわれるという問題があり、これらに本発明が解決せんとする課題がある。
【課題を解決するための手段】
【０００５】
本発明は、上記の課題を解決するため鋭意創作されたものであって、請求項１の発明は、棒状化粧料が収容される容器本体と、該容器本体の上側から外嵌して容器本体の被覆蓋部を覆蓋するキャップとを備えて構成される棒状化粧料容器において、前記キャップは、有天筒状をした上半側の胴部と、下端が開口した筒状であって、前記胴部に対して縦軸周りに回動自在な下半側のダイアル部とで構成され、前記胴部とダイアル部とは、縦軸方向を向いた縦溝と該縦溝の上下端部間を周回り方向に連通する螺旋溝とからなるガイド溝と、前記縦溝対応位置に位置していて縦溝長さに対応する縦孔が形成された身筒部とがそれぞれ形成されたものであり、前記身筒部に上下方向摺動自在に内嵌されるインナー筒には、容器本体が最上端に摺動したとき容器本体が突き当たる突き当たり部と、前記ガイド溝および身筒部の縦孔に移動自在に係合する係合突起とが形成されていて、前記係合突起がガイド溝の縦溝上端に位置し、かつ容器本体がインナー筒の突き当たり部に突き当たっていて容器本体がキャップに収容される収容姿勢の状態で、胴部に対してダイアル部を相対回動することにより、係合突起がガイド溝の縦溝上端から螺旋溝を経由して縦溝下端に至る移動をすることでインナー筒が容器本体と共に下動して、該容器本体がキャップ下端から突出して容器本体をキャップから取り出し操作できる突出姿勢に変姿させる一方、該突出姿勢で容器本体をキャップ下端から上方に押し込むことで、係合突起の縦溝下端から上端への移動と容器本体の突き当たり部に突き当たるまでの移動とがなされて、容器本体をインナー筒と共に前記収容姿勢に変姿させるようにしたことを特徴とする棒状化粧料容器である。
請求項２の発明は、ガイド溝には、縦溝下端および縦溝上端に位置する係合突起の逆戻り防止をするための段差部が設けられている請求項１記載の棒状化粧料容器である。
請求項３の発明は、インナー筒は、係合突起の段差部越えの補助をすべく可撓性を有していることを特徴とする請求項２記載の棒状化粧料容器である。
請求項４の発明は、段差部は、係合突起が縦溝下端および縦溝上端に位置するときにクリック音を発生させるものであることを特徴とする請求項２または３記載の棒状化粧料容器である。
請求項５の発明は、縦溝は複数あり、螺旋溝は、隣接する縦溝同士の一方の上端から他方の下端へと周回り方向一方向で連結するものであることを特徴とする請求項１乃至４の何れか１記載の棒状化粧料容器である。
【発明の効果】
【０００６】
請求項１の発明とすることによって、棒状の化粧料が収容される棒状化粧料容器を、キャップ内にばね材を組み込むことなくして、容器本体をキャップ下端から押し込んで容器本体をキャップに収容する収容姿勢と収容姿勢の状態からキャップを構成する胴部とダイアル部とを相対回動することによって容器本体をキャップ下端から突出させる突出姿勢とに変姿させることが出来る。このため、容器本体をキャップに押し込むことによって容器本体をキャップ内に収容するものに構成した棒状化粧料容器を、ばね材を用いることなくして製造することができることになって、部品点数を削減することが出来る。
また、使用による化粧料の減小や容器本体を新しいものに交換した場合等の容器本体の重量の増減があっても、ばね材を用いた場合のように収容姿勢から突出姿勢に変姿するときの突出速度が変化してしまうといった不具合がない。
さらに、ばね材を用いた場合のように、係合突起を係合部に係合させる際のばね材の戻り移動のためのスペースを考慮する必要がなく、設計の自由度が高まる。またばね材を用いることによって容器本体或いはキャップが意図せずして突然突出したりする虞もなく、操作性の良い棒状化粧料容器とすることが出来る。
請求項２の発明とすることによって、キャップに容器本体を押し込んで収容姿勢にする場合に、縦溝の上端に位置した係合突起が下端に戻ってしまうことによる容器本体の収容姿勢から突出姿勢への逆戻りを防ぐことが出来る。また、胴部とダイアル部を相対回動させて容器本体を突出姿勢にする場合に、螺旋溝の下端に位置した係合突起が螺旋溝の下端から上端に戻ってしまうことによる容器本体の突出姿勢から収容姿勢への逆戻りを防ぐことが出来る。従って、ばね材を用いることなくして収容姿勢および突出姿勢における係合突起の縦溝上端及び下端の係合を維持することが出来る。
請求項３の発明とすることによって、係合突起がガイド溝を摺動する際に段差部をスムーズに超えることが出来るインナー筒とすることが出来る。従って、収容姿勢から突出姿勢への変姿、突出姿勢から収容姿勢への変姿をスムーズに行うことが出来る。
請求項４の発明とすることによって、収容姿勢から突出姿勢に変姿するとき、また突出姿勢から収容姿勢に変姿するときに「カチッ」というクリック音が発生することによって使用者の耳に心地よく、また収容姿勢および突出姿勢に完全に変姿したことを使用者が認識出来るため、使用者に安心感を与えることが出来る。
請求項５の発明とすることによって、縦溝の数に応じて螺旋溝の距離を異ならしめることができ、これによって収納姿勢から突出姿勢に変姿させるときの胴部とダイアル部との相対回動の回動量を異なるものにすることが出来る。
【図面の簡単な説明】
【０００７】
【図１】本発明の実施の形態による棒状化粧料容器の収容姿勢の縦断面図である。
【図２】本発明の実施の形態による棒状化粧料容器の突出姿勢の縦断面図である。
【図３】（Ａ）、（Ｂ）は、それぞれガイド筒の平面図、Ｘ−Ｘ断面図である。
【図４】（Ａ）、（Ｂ）は、それぞれガイド溝の展開図およびその斜視図である。
【図５】（Ａ）、（Ｂ）は、それぞれ支持筒の平面図、縦断面図である。
【図６】（Ａ）、（Ｂ）は、それぞれ身筒部の側面一部断面図、縦正面断面図である。
【図７】インナー筒の斜視図である。
【図８】（Ａ）、（Ｂ）、（Ｃ）は、それぞれ棒状化粧料容器の収容姿勢、突出姿勢、収容姿勢の斜視図である。
【図９】（Ａ）、（Ｂ）、（Ｃ）は、それぞれ棒状化粧料容器の収容姿勢、突出姿勢、容器本体とキャップが分離した状態の正面図である。
【発明を実施するための形態】
【０００８】
以下、本発明の実施の形態について、図面に基づいて詳細に説明する。
図１、２に示されるように、１は棒状化粧料が収容される化粧料容器であって、化粧料容器１は、上面が開口しており、装填される化粧料が昇降操作される容器本体２と、容器本体２を開口部２ａ側から覆蓋するキャップ３とからなる。
容器本体２は、有底筒状の袴筒４と該袴筒４の内周面側に固着される縦軸方向に長い一組のガイド孔５ａが対向して穿設された円筒状の本体側の身筒５と、下端部が袴筒４の下端部に内嵌する円筒状の中具６とを備えて構成される。これら袴筒４、身筒５、中具６は容器本体２の縦軸周りに一体回動するようになっている。
【０００９】
一方、身筒５には、後述する突起９ａが摺動自在に移動する螺旋溝８ａが内周面に刻設された螺旋筒８が回動自在に外嵌している。そして、螺旋筒８の外周面には、螺旋筒８と一体回動する円筒状の把持筒７が外嵌しており、これによって把持筒７は中具６に対して回動自在となっている。
さらに前記身筒５の内周面側には、前記ガイド孔５ａを貫通して螺旋溝８ａに係合する本体側の突起９ａが突設された中皿９が身筒５内を上下方向移動自在となるように設けられている。この中皿９には、棒状化粧料（図示省略）を収容するための収容部９ｂが形成されており、前記螺旋筒８と身筒５とは相対回動に伴う中皿９の昇降によって、棒状化粧料が容器本体２の上端の開口部２ａから繰出し繰戻しされるようになっている。
【００１０】
そして、容器本体２から棒状化粧料を繰出して使用するにあたっては、前記袴筒４若しくは中具６に対して把持筒７を相対回動させることによって、中皿９は、ガイド孔５ａに沿って回転規制される状態で突起９ａが螺旋溝８ａに摺動案内されて身筒５の内周面を上下移動するようになっている。
尚、１１は、身筒５に外嵌し、螺旋筒８の下端部に摺接するリングである。
【００１１】
一方、前記キャップ３は、容器本体２の上端部側から出入り自在に外嵌して該容器本体２を覆蓋するため有天筒状をしているが、上半部が有天筒状の胴部１２、下半部が筒状のダイアル部１３により構成されるが、ダイアル部１３は胴部１２に対して縦軸回りに相対回動自在となっている。
胴部１２の上端部内周面側には、筒状のガイド筒１４が胴部１２に対して一体的に止着されている。該ガイド筒１４の内周面には、図３、図４に示されるように、軸心を挟んで対向位置に形成された縦軸方向に長い一対の縦溝１５、１５と、隣接する一方の縦溝１５の上端部１５ａと他方の縦溝１５の下端部１５ｂとを周方向一方向で連結する螺旋溝１６、１６とからなるガイド溝１７が形成されている。尚、本発明の実施の形態では、螺旋溝１６は図面視で右方向に回るように連結されているが、左回りでも構わないことは勿論である。また、縦溝１５は一対である２本としたが１本であっても、また３本以上であっても良い。さらにまた、本実施の形態では、ガイド溝１７は胴部１２の内周面に一体的に設けたガイド筒１４の内周面に形成したが、これに限定されることなく胴部１２の内周面に直接形成しても良い。
【００１２】
縦溝１５の上端部１５ａは螺旋溝１６の上端部１６ａとなっており、縦溝１５の下端部１５ｂは螺旋溝１６の下端部１６ｂとなっている。そして、縦溝１５は下端部１５ｂが深溝に形成され、該深溝の下端部１５ｂから上端部１５ａに近づくほど溝が浅くなるよう形成されているが、上端部１５ａの手前に形成される段差状部である第一段差部１７ａを境に上端部１５ａは深溝となっている。そして螺旋溝１６は、縦溝１５の上端部１５ａとオーバーラップしている螺旋溝１６の上端部１６ａが深溝であり、螺旋溝上端部１６ａから螺旋溝下端部１６ｂに近づくほど溝が浅くなるよう形成されているが、螺旋溝下端部１６ｂの手前に形成される段差状部である第二段差部１７ｂを境に螺旋溝下端部１６ｂは深溝となっている。該螺旋溝下端部１６ｂは縦溝１５の下端部１５ｂとオーバーラップしており、該第二段差部１７ｂを境に前述の縦溝１５の下端部１５ｂの深溝となっている。
【００１３】
前記ガイド筒１４の下方には、胴部１２の内周面に一体的に止着され、外周面がガイド筒１４の下端側及び内周面側に当接する支持筒１８が取り付けられている。ガイド筒１４は、支持筒１８の外周面と胴部１２の内周面とによって挟持された状態で支持されており、これによってガイド筒１４が位置ずれしたりすることのないようになっている。該支持筒１８は、図５に示すように、上端縁部１８ａがガイド溝１７の下端縁部１７ｃと同形状となるように形成されており、これによって、後述する係合突起２１ａがガイド溝１７を移動する際に支持筒１８の上端縁部１８ａによって係合突起２１ａの動きが妨げられないようになっている。
【００１４】
ダイアル部１３の内周面側には、該ダイアル部１３の内周面全体を覆い胴部１２の内周面まで延出した筒状の身筒部１９がダイアル部１３に一体的に止着されている。そして身筒部１９の上端部には、図６に示すように、前述の縦溝１５の溝長さに対応した長さの２つの縦孔１９ａが縦溝１５に対応する位置に形成されている。
【００１５】
身筒部１９の上端部内周面側には、前記縦孔１９ａに係合する一組の係合突起２１ａが上端部外周面に突設されるインナー筒２１が、係合突起２１ａが係合する縦溝１５の溝長さだけ身筒部１９に対して摺動自在となるように内嵌されている。図７に示されるように、インナー筒２１の内周面は下半部が上半部よりも大径となるように形成され、上半部と下半部とのあいだに形成される段差状部は、容器本体２をキャップ３に押し込んでいったときに容器本体２の上端部２ｂが突き当たる突き当たり部２１ｂとなっている。
【００１６】
インナー筒２１は、係合突起２１ａが第一、第二段差部１７ａ、１７ｂを超えやすいように可撓性のある部材で形成され、さらにインナー筒２１の係合突起２１ａの左右両側にはインナー筒２１を貫通する縦方向の長孔２１ｃ、２１ｃが形成されており、これによって係合突起２１ａが第一、第二段差部１７ａ、１７ｂを一層超えやすくなるよう配慮されている。
また、係合突起２１ａ及びガイド溝１７は、係合突起２１ａが第一、第二段差部１７ａ、１７ｂを乗り越えて上端部１５ａ（螺旋溝上端部１６ａ）および下端部１５ｂ（螺旋溝下端部１６ｂ）に落下するようにして移動した瞬間に、係合突起２１ａと上端部１５ａ又は下端部１５ｂとが衝突して「カチッ」というクリック音が発生するようになっている。
尚、本実施の形態のダイアル部１３の下端縁１３ａは側面視したときに傾斜状となっているが、これは容器本体１をキャップ１０から取り出し易くするためおよびデザイン性を良くするためのものであって、特にこの形状に限定されるものではない。
【００１７】
叙述の如く構成された本発明の実施の形態において、まず化粧料が収容される容器本体２がキャップ３に収容される収容姿勢（図８（Ａ）（Ｃ）の姿勢）では、容器本体２の上端部２ａがインナー筒２１の突き当たり部２１ｂに当接した状態となっており、このとき係合突起２１ａは身筒部１９に形成された縦孔１９ａの上端部１９ｂを貫通しているとともに、ガイド筒１４に形成されたガイド溝１７の縦溝上端部１５ａに位置している。
尚、このとき容器本体２の中皿９は、中皿９の収容部９ｂに収容される化粧料が容器本体上端部２ａから上に突出しないよう下方に繰り戻された状態となっている。
【００１８】
次に、前述した収容姿勢から化粧料容器２のキャップ３を容器本体２から取り外す場合は、図８（Ａ）に示されるように、キャップ３の胴部１２とダイアル部１３とをそれぞれ把持して周回り方向一方向に相対回動させる。この場合の回動方向は、本実施の形態ではダイアル部１３に対して胴部１２の図面の矢印の方向である。
このようにダイアル部１３に対して胴部１２を回動させると、収容姿勢において縦孔１９ａの上端部１９ｂを貫通して縦溝１５の上端部１５ａに位置していた係合突起２１ａは、縦孔１９ａに回動規制された状態で縦溝上端部１５ａである螺旋溝上端部１６ａから他方の縦溝１５の下端部１５ｂである螺旋溝下端部１６ｂに向けて移動し、第二段差部１７ｂを超えることによって逆戻りしない状態で他方の縦溝１５の下端部１５ｂに位置する。この係合突起２１ａのガイド溝１７に添う移動によって係合突起２１ａは、身筒部１９の縦孔１９ａを上端部１９ｂから下端部１９ｃへと移動し、インナー筒２１は縦溝１５の溝長さだけキャップ３に対して下方に相対移動する。すると、容器本体２の上端部２ｂは突き当たり部２１ｂの下方移動によって下方に押出されることになり、これによって容器本体２は、図８（Ｂ）、図９（Ｂ）に示されるように、下端部２ｃがキャップ３の下端部３ａから突出する突出姿勢となる。
【００１９】
この状態で、キャップ３の下端部から突出した容器本体２の下端部２ｃを把持してキャップ３から引き抜くことで容器本体２をキャップ３から取出すことができる（図９（Ｃ）参照）。キャップ３から外れた容器本体２は、袴筒４若しくは中具６に対して把持筒７を相対回動させることで、突起９ａがガイド孔５ａに沿って回転規制された状態で螺旋溝８ａを摺動案内され、これによって中皿９が身筒５の内周面を上下昇降移動するが、このような化粧料を繰り出し繰り戻しする機構は、一般的な棒状化粧料の昇降機構と同様である。
【００２０】
そして、化粧料を使用した後、化粧料が収容された容器本体２をキャップ３によって覆蓋して収容するには、容器本体２の上端部２ｂをキャップ３の下端部３ａからキャップ内に押し込んでいけばよく、そうすることによって容器本体２の上端部２ｂがインナー筒２１の内周面に摺接していき、さらに押し込むことによって縦孔１９ａの下端部１９ｃに位置していた係合突起２１ａが上端部１９ｂに移動するとともに、容器本体２の上端部２ｂが突き当たり部２１ｂに当接して、化粧料容器１が図８（Ａ）、（Ｃ）、図９（Ａ）に示される収容姿勢となる。
尚、収納姿勢への変姿は、インナー筒２１と容器本体２の把持筒７との摺動抵抗と、インナー筒２１と支持筒１８との摺動抵抗の大小によって、インナー筒２１と把持筒７との摺動とインナー筒２１と支持筒１８との摺動の後先、あるいは同時かが決まることになるが、何れであっても勿論良い。
また、本実施の形態では、容器本体２をキャップ３に収容する際、インナー筒２１の内周面と容器本体２の把持筒７とが摺動するものに構成したが、これに限定されるものではなく、インナー筒２１の内周面と中具６の外周面とが摺動するものとしても良いし、またインナー筒２１の内周面と袴筒４の外周面とが摺動するものとしても良い。
さらにはインナー筒２１を下端縁部に突き当たり部２１ｂが形成されたものとして、把持筒７の外周面と身筒部１９の内周面とが摺動するものに構成しても良く、また中具６の外周面と身筒部１９の内周面とが摺動するものに構成しても良く、さらには袴筒４と身筒部１９とが摺動するものに構成しても良い。このように、把持筒７と身筒部１９、中具６と身筒部１９、袴筒４と身筒部１９とが摺動するよう構成した場合には、インナー筒２１は容器本体２の上端部２ｂが突き当たり部２１ｂに当接することによってキャップ３の上端部へと押し上げられて収容姿勢となる。
【００２１】
これによって、棒状の化粧料が収容される棒状化粧料容器１を、キャップ３内にばね材を組み込むことなくして、容器本体２をキャップ３下端部３ａから押し込んで容器本体２をキャップ３に収容する収容姿勢、収容姿勢の状態からキャップ３を構成する胴部１２とダイアル部１３とを相対回動することにより容器本体２をキャップ３の下端部３ａから突出させる突出姿勢へと変姿させることが出来る。このため、容器本体２をキャップ３に押し込むことによって容器本体２をキャップ３で覆蓋するものに構成した棒状の化粧料容器１を、ばね材を用いずに製造することが出来て、ばね材を用意する必要がなく、部品点数の削減を図ることが出来る。
また、本発明が実施されたものは、胴部１２とダイアル部１３との相対回動や押し込みによる突出姿勢や収容姿勢への変姿を使用者自らが操作することにより行うことになるので、使用者の意図に添った変姿ができ、ばね材を用いたもののように意図しない速度で突然変姿してしまうようなことがない。
さらに、ばね材を用いた場合のように、係合突起を係合部に係合させる際のばね材の戻り移動のためのスペースを考慮する必要がなく、従って設計の自由度が高まる。
【００２２】
また、キャップ３に容器本体２を押し込んで収容姿勢にする場合に、縦溝１５の上端部１５ａに位置した係合突起２１ａが下端部１５ｂ側に戻ってしまうことによる容器本体２の収容姿勢から突出姿勢への逆戻りを防ぐことが出来る。さらにまた、胴部１２とダイアル部１３を相対回動させて容器本体２を突出姿勢にする場合に、螺旋溝１６の下端部１６ｂに位置した係合突起２１ａが螺旋溝１６の下端部１６ｂから上端部１６ａ側に戻ってしまうことによる容器本体２の突出姿勢から収容姿勢への逆戻りを防ぐことが出来る。従って、ばね材を用いることなくして収容姿勢および突出姿勢における係合突起２１ａの縦溝上端部１５ａ及び下端部１５ｂの係合を維持することが出来る。
【００２３】
また、インナー筒２１を可撓性のある部材で形成し、さらに係合突起２１ａの左右がガイド溝１７を摺動する際に第一、第二段差部１７ａ、１７ｂをスムーズに超えることが出来るインナー筒２１とすることが出来る。従って、収容姿勢から突出姿勢への変姿、突出姿勢から収容姿勢への変姿をスムーズに行うことが出来る。
そのうえ、係合突起２１ａが第一、第二段差部１７ａ、１７ｂを超えるときに「カチッ」というクリック音が発生することによって使用者の耳に心地よく、また収容姿勢および突出姿勢に完全に変姿したことを使用者が認識することが出来て、使用者に安心感が与えられる。
【００２４】
尚、本発明の実施の形態は、ガイド溝１７が形成されたガイド筒１４と胴部１２とが一体回動し、縦孔１９ａが形成された身筒部１９とダイアル部１３とが一体回動するものに構成したが、これに限定されるものではなく、ガイド溝１７が身筒部１９に形成されてダイアル部１３と一体回動し、縦孔１９ａがガイド筒１４に形成されて胴部１２と一体回動するものに構成してもよい。
【００２５】
また、本発明の実施の形態は縦溝１５が一対である２本のものに構成したが、前述したように縦溝１５の数は１本でも良く、また３本以上であっても良い。仮に１本であった場合は、螺旋溝１６は円周を１周する長さになるため胴部１２とダイアル部１３との相対回動も１回転分になる。また縦溝１５の本数を多くすることによってそれだけ各螺旋溝１５の距離が短くなるため、そうすることによって胴部１２とダイアル部１３との相対回動量を短いものにすることが出来る。
【産業上の利用可能性】
【００２６】
本発明は、口紅、マニキュア、ファンデーション等の化粧料を収容するための棒状化粧料収容容器の分野に利用可能である。
【符号の説明】
【００２７】
１      化粧料容器
２      容器本体
３      キャップ
１２    胴部
１３    ダイアル部
１５    縦溝
１５ａ  上端部
１５ｂ  下端部
１６    螺旋溝
１７    ガイド溝
１９    身筒部
１９ａ  縦孔
２１    インナー筒
２１ａ  係合突起
２１ｂ  突き当たり部
【要約】
【課題】  棒状の化粧料が収容される棒状化粧料容器を、キャップにばね材を組み込むことなくして容器本体をキャップ下端からの押し込み操作によって容器本体をキャップに収容し、キャップの相対回動操作によって容器本体をキャップから突出させるようにして操作性の良い化粧料容器にする。
【解決手段】  棒状化粧料容器（１）のキャップ（３）を上半側の胴部（１２）と下半側のダイアル部（１３）とで構成し、胴部とダイアル部にはガイド溝（１７）が形成されたガイド筒（１４）と、該ガイド溝に対応する縦孔（１９ａ）が形成された身筒部（１９）とを設け、胴部の上端部には、ガイド溝および縦孔に係合する係合突起（２１ａ）が形成されたインナー筒（２１）を設けて、胴部に対してダイアル部を相対回動することにより、容器本体（２）をキャップから突出させ、容器本体をキャップに押し込むことで、容器本体をキャップに収容させる。
【選択図】図１【図１】
0004819973.tif 000002
【図２】
0004819973.tif 000003
【図３】
0004819973.tif 000004
【図４】
0004819973.tif 000005
【図５】
0004819973.tif 000006
【図６】
0004819973.tif 000007
【図７】
0004819973.tif 000008
【図８】
0004819973.tif 000009
【図９】
0004819973.tif 000010